(57)【要約】【課題】  携帯機器向けのような小さい液晶製品の基板部品であっても、露光装置のマスクの位置を正確に設定させることができる。【解決手段】  露光装置により搬送および露光されることにより、携帯機器用の液晶画面に利用される基板部品を備える基板において、マトリクス状に配置された複数の基板部品と、基板上における基板部品を配置されていない非基板部品領域と、非基板部品領域上において、基板の搬送方向であって、基板部品間を通るように設定されたアライメントラインを備える。【選択図】図１
2013195468.tif 000002
【特許請求の範囲】
【請求項１】
露光装置により搬送および露光される、携帯機器用の液晶画面に利用される基板部品を備える基板において、
前記基板上にマトリクス状に配置された複数の基板部品と、
前記基板上における前記基板部品を配置されていない非基板部品領域と、
前記非基板部品領域上において、前記基板の搬送方向であって、前記基板部品間を通るように設定されたアライメントラインを備えたものであることを特徴とする基板。
【請求項２】
前記アライメントラインは、前記露光装置の画像検出部により検出され、前記検出されたアライメントラインの情報に基づいて、露光光を照射すべき前記基板部品間の位置情報を取得させるためのものであることを特徴とする請求項１記載の基板。
【請求項３】
前記アライメントラインは、直線または破線であることを特徴とする請求項１または２記載の基板。
【請求項４】
前記非基板部品領域上において、更に、前記基板の搬送方向であって、所定の間隔で、基板部品毎にアライメントマークを備えたことを特徴とする請求項３記載の基板。
【請求項５】
前記アライメントマークは、前記露光装置の画像検出部により検出され、前記検出されたアライメントマークの情報に基づいて、露光光を照射すべき前記基板部品間の位置情報を取得させるためのものであることを特徴とする請求項４記載の基板。
【発明の詳細な説明】
【技術分野】
【０００１】
本発明は、基板に関するものであって、特に、露光装置により搬送および露光される基板に関するものである。
【背景技術】
【０００２】
従来、搬送される被露光体である液晶パネル用の基板と露光光を透過するマスクとの位置調整を行う露光装置が知られている。例えば、ＣＣＤ（Charge Coupled Device Image Sensor）が、基板に予め形成された各種配線やブラックマトリックスなどの既存パターンおよびフォトマスクの基準マーク（透過光を遮蔽する遮蔽線）に対して同時に焦点を合わせることにより、画像照合を行い、この既存パターンに対するマスクのズレを補正するように制御する露光装置に関する技術が、特許文献１に提案されている。
【先行技術文献】
【特許文献】
【０００３】
【特許文献１】再公表ＷＯ２００７／１１３９３３号公報
【発明の概要】
【発明が解決しようとする課題】
【０００４】
このような露光装置は、例えば、携帯機器（例えば、携帯電話、携帯型パーソナルコンピュータ等）のような小さい液晶画面向けの基板を露光するに際し、既存パターンも小さくなるために高精度なＣＣＤを備えていないと、上記既存パターンの照合が困難となる。また、基準マークも同様に小さくする必要が生じるために、高精度なＣＣＤを備えていないと、上記既存パターンの照合が困難となるという問題があった。
【０００５】
そこで、本発明は、上記事情に鑑み、露光装置のＣＣＤを高精度にすることなく、露光装置が基板上の既存パターンの照合することができる基板を提供することを目的とする。
【課題を解決するための手段】
【０００６】
本発明の基板は、露光装置により搬送および露光される携帯機器用の液晶画面に利用される、基板上にマトリクス状に配置された複数の基板部品と、基板上における基板部品を配置されていない非基板部品領域と、非基板部品領域上において、基板の搬送方向であって、基板部品間を通るように設定されたアライメントラインを備えたものである。
【０００７】
本発明のアライメントラインは、露光装置の画像検出部により検出されるものであって、検出されたアライメントラインの情報に基づいて、露光光を照射すべき前記基板部品間の位置情報を取得させるためのものであってもよい。また、アライメントラインは、直線または破線であってもよい。
【０００８】
本発明の基板は、非基板部品領域上において、更に、基板の搬送方向であって、所定の間隔で、基板部品毎に対応するアライメントマークを備えるものであってもよい。また、基板は、アライメントラインと平行であって、所定のパターン無し領域を備えたものである。
【０００９】
本発明のアライメントマークは、露光装置の画像検出部により検出され、検出されたアライメントマークの情報に基づいて、露光光を照射すべき前記基板部品間の位置情報を取得させるためのものである。また、アライメントマークは、対応する基板部品と接しているものであってもよい。
【００１０】
「基板部品」は、携帯機器毎の液晶画面に利用されるものである。具体的には、携帯電話、携帯型のパーソナルコンピュータのための液晶用の基板が挙げられる。
【発明の効果】
【００１１】
本発明の基板は、基板上における基板部品を配置されていない非基板部品領域と、非基板部品領域上において、基板の搬送方向であって、基板部品間を通るように設定されたアライメントラインを備えることによって、アライメントラインを基準として基板の位置を追従することができるため、携帯機器向けのような小さない液晶製品画面を有する携帯機器用の基板部品であっても、アライメントラインを基準として、基板とマスク部の正確な位置合わせを設定し、正確な露光を行わせることができる。
【００１２】
本発明の基板は、非基板部品領域上において、更に、基板の搬送方向であって、所定の間隔で、基板部品毎に対応するアライメントマークを備える際には、アライメントマークを基準として基板の位置を追従することができるため、携帯機器向けのような小さない液晶製品画面を有する携帯機器用の基板部品であっても、アライメントマークを基準として、基板とマスク部の正確な位置合わせを設定し、正確な露光を行うことができる。
【図面の簡単な説明】
【００１３】
【図１】本発明の実施形態における露光装置の構成を説明するための図
【図２】本発明の実施形態における基板上のアライメントラインとセルとの配置関係を示した図
【図３】本発明の実施形態における基板上のアライメントマークとセルとの配置関係を示した図
【図４】本発明の実施形態における基板上のアライメントライン、アライメントマークおよびセルとの配置関係を示した図
【図５】本発明の実施形態におけるマスク部と、基板との構成を模式的に示した図
【図６】本発明の実施形態におけるイメージセンサ部の二重焦点構造を模式的に示した図
【図７】本発明の実施形態におけるイメージセンサ部が撮影した基板上の既存パターンと遮蔽線の関係を示す画像情報例を示した図
【図８】本発明の実施形態における遮蔽線と既存パターンの画像情報を示した図
【発明を実施するための形態】
【００１４】
本発明の第一の実施の形態となる基板について、図面を参照しつつ説明する。
図１は、露光装置１００の構成を示した図である。露光装置１００の詳細な構成は追って説明する。露光装置１００は、画像情報から画像検出処理を行う画像検出部５５と、マスク部３５の上方から露光光を照射可能とする露光部５０を備えるものであって、図２に示すように、露光装置１００より搬送および露光される、携帯機器用の液晶画面に利用される基板部品（セル）を備える基板５において、基板上にマトリクス状に配置された複数の基板部品（ｃ１・・・ｃｎ：ｎ＞１）と、基板５上における基板部品を配置されていない非基板部品領域と、非基板部品領域上において、基板５の搬送方向であって、基板部品間を通るように設定されたアライメントラインＬを備えたものである。具体的には、基板５は、基板５の搬送方向に、所定間隔で、切断される基板部品を区切るようにアライメントラインＬを付与されたものであって、画像検出部５５は、当該アライメントラインＬを検出し、マスク部３５は、検出されたアライメントラインＬの情報に基づいて、基板５上を相対的に移動し、露光部５０は、マスク部３５が移動した後に露光光を照射する。
【００１５】
また、アライメントラインＬは、露光装置１００の画像検出部２０により検出され、検出されたアライメントラインＬの情報に基づいて、露光光を照射すべき基板部品間の位置情報を取得させるためのものである。また、アライメントラインは、直線である。もしくは、アライメントラインは破線であってもよい。
【００１６】
図２は、基板５上のアライメントラインＬとセルとの配置関係を示したものである。基板５は、図２に示すように、基板５の搬送方向の基板部品（セルｃ１、２またはｃ４，５）間にアライメントラインＬを備え、画像検出部５５は、アライメントラインＬでマスク部３５と基板５の相対的な位置の追従を行い、セル間での基板搬送精度を高めて露光することができる。また、基板５上に、アライメントラインＬと平行であって、所定のパターン無し領域Ｒを設けたものである。
【００１７】
このアライメントラインＬ、基板部品間や基板５の端部におけるパターン無し領域Ｒを設けることにより、画像検出部５５は、基板５の搬送方向の最初から最後まで容易に追従を行うことを可能とし、マスク部３５と基板５の相対的な位置精度を高めることができる。上述した基板部品（セル）は、携帯機器の液晶画面に利用されるものである。
次に、本発明の第二の実施形態となる基板について説明する。
【００１８】
露光装置１００は、図１および図３に示すように画像情報から画像検出処理を行う画像検出部５５と、マスク部３５の上方から露光光を照射可能とする露光部５０を備えるものであって、基板５は、基板５の搬送方向に、所定間隔で、切断される基板部品（セルｃ１〜ｃ４、ｃ１１〜ｃ１４、その他のセルｃｎ：ｎ＞１）毎にアライメントマークＭを付与されたものであって、画像検出部５５は、当該アライメントマークＭを検出し、マスク部３５は、検出されたアライメントマークＭの情報に基づいて、基板上を相対的に移動し、露光部５０は、マスク部３５が移動した後に露光光を照射する。このアライメントマークＭは、露光装置１００の画像検出部２０により検出され、検出されたアライメントマークＭの情報に基づいて、露光光を照射すべき基板部品間の位置情報を取得させるためのものである。
図３は、基板上のアライメントマークＭとセルとの配置関係を示したものである。基板５は、図３に示すように、基板５の搬送方向の基板部品（セルｃ１〜ｃ４、ｃ１１〜ｃ１４、その他のセルｃｎ：ｎ＞１）間にアライメントマークＭ１〜４、Ｍ１１〜１４（引き込みマーク、または追従補助用マーク）を備え、画像検出部５５は、アライメントマークＭでマスク部３５と基板５の相対的な位置の追従を行い、セル間での基板搬送精度を高めて露光することができる。
【００１９】
このアライメントマークＭを短い間隔に配置することにより、露光のアクティブエリア内で追従することなく、マスク部３５と基板５の相対的な位置精度を高めることができる。また、図４に示すように、基板５は、アライメントラインＬおよびアライメントマークＭをともに備えるものであってもよい。露光装置１００は、このようなアライメントラインＬおよびアライメントマークＭをともに備える基板５を用いることにより、アラメントラインＬおよびアライメントマークＭでマスク部３５と基板５の相対的な位置の追従を行い、セル間での基板搬送精度を高めて露光することができる。
【００２０】
本発明の第三の実施の形態となる遮蔽線（マスクスリット）を用いた露光装置について、図面を参照しつつ詳細に説明する。
【００２１】
図１は、露光装置１００の構成を示した図である。また、図５は、マスク部と基板との構成を模式的に示した図である。露光装置１００は、図１および５に示すように、画像表示画面に表示される其々の色の画素に対応する、規則的に配置されたパターン４をマトリクス状に備えた基板５を搬送可能な基板搬送部１０と、基板５に露光光を照射するための露光窓２２と、基板５のパターンを観察するための透光窓２３とを有し、該透光窓２３に遮蔽線４５を備えるフォトマスクから構成されるマスク部３５と、基板５の画像情報を取得するために、該基板５の下方から複数種の透過光を照射する画像検出光源部２０と、マスク部３５の透光窓２３を介して取得された透過光を画像情報に変換するイメージセンサ部２５とを備えるものであって、変換された画像情報において、マスク部３５の遮蔽線４５の幅は、所定の透過光を透過した、画像表示画面に表示される隣り合う同一色の画素に対応するパターンの間に位置するパターンを覆い、隣り合う同一色の画素に対応するパターンそれぞれの辺は覆うことなく設定されているものである。上述した画像表示画面のそれぞれの色の画素に対応する、規則的に配置されたパターンをマトリクス状に備えた基板は、例えば、カラーフィルタ基板または、アレイ基板である。また、上述した画像表示画面に表示される隣り合う同一色の画素に対応するパターンは、カラーフィルタ基板の際には、予めパターンは着色されたものであって、画像表示画面に表示される隣り合う同一色の画素の配列位置に対応する位置に配列された、隣り合う同一色のパターンであり、アレイ基板の際には、画像表示画面に表示される隣り合う同一色の画素の配列位置に対応する位置に配列されたパターンである。以下、基板５は、カラーフィルタ基板を例に説明するが、基板５は、アレイ基板（例えば、ＴＦＴ回路等）であってもよい。なお、露光装置１００は、基板の上方から複数種の透過光を照射する画像検出光源部（不図示）を備える構成であってもよい。その場合、露光装置１００は、基板の上方に配置された画像検出光源部（不図示）に光をあて、その光を画像情報に変換するイメージセンサ部を基板の上方に備えるものであってもよい。
【００２２】
露光装置１００は、具体的には、基板５を搬送可能な基板搬送部１０と、フォトマスクから構成されるマスク部３５と、該マスク部３５の透光窓２３から透過される光を画像情報に変換するイメージセンサ部２５とを備えるものであって、該遮蔽線を除いて透過された光を受光したイメージセンサ部２５から取得された画像情報から画像検出処理を行う画像検出部５５と、マスク部３５の上方から露光光を照射可能とする露光部５０と、マスク部３５の画像情報を取得させるために、マスク部３５の下方から光を照射する画像検出光源部２０と、マスク部３５の上方にあって、画像検出光源部２０の光を受光し、画像情報を取得するイメージセンサ部２５と、基板搬送部１０と、露光部５０の間に配置された、露光部５０から照射される露光光の一部を透過させる露光窓２２および、画像検出光源部２０から照射される光の一部を透過させる透光窓２３を備えたマスク部３５と、マスク部位置調整ユニット７０とを備えたものである。なお、露光装置１００は、露光部５０の露光位置／露光出力を制御可能とする露光制御部６０を備えていてもよい。
【００２３】
基板搬送部１０は、基板を搬送するものである。例えば、基板搬送部１０は、図１に示すように、基板５を載置して所定の搬送方向に搬送するものであり、上面に気体を噴出する多数の噴出孔と気体を吸引する多数の吸引孔とを有した複数の単位ステージを基板５の搬送方向に並設し、気体の噴出と吸引とのバランスにより基板５を複数の単位ステージ上に所定量だけ浮かせた状態で、搬送ローラにより基板５の両端縁部を支持して搬送するようにする。
【００２４】
露光部５０は、紫外線を照射するものであって、例えば露光波長域は２８０〜４００ｎｍである。また、露光部５０は、紫外線を照射するものであって、具体的には、レーザ発振器やキセノンフラッシュランプ等である。また、露光部５０には、フォトインテグレータ（不図示）を搭載してもよく、露光部５０から照射された露光光の横断面内の輝度分布を均一にする。このフォトインテグレータは、フライアイレンズやロッドレンズ又はライトパイプ等であってもよい。また、露光部５０に搭載されたコンデンサーレンズ（不図示）は、露光光を平行光にしてマスク部３５に照射させるものである。露光部５０は、露光制御部６０の制御指令に応じて、露光を行うものである。
【００２５】
図５は、マスク部３５と、基板５との構成を模式的に示した図である。マスク部３５は石英ガラスなどからなる透明基板の表面に、所定のパターンに形成された遮光部２１と露光窓２２を有する。図５は、マスク部３５の構成の例を模式的に示した外観斜視図である。図中の矢印ａは基板５の搬送方向を示す。このマスク部３５は、たとえば縦長スリット形状の露光窓２２が、基板の搬送方向ａの直角方向に沿って所定のピッチで並列して形成される構成を備える。図５においては、遮光処理を施した領域が遮光部２１を示し、施していない領域が露光窓２２を示す。マスク部３５の基板５に対する搬送開始側には、横長スリット形状の透光窓２３が形成されている。そして、透光窓２３には、マスク部３５に遮蔽線４５が形成されている。遮光部２１は、例えば、クロムなどにより遮光されている。また、遮蔽線４５もクロムなどの遮蔽材から構成される。
【００２６】
イメージセンサ部２５は、マスク部３５の透光窓２３を介して、基板５に予め形成された既存パターン、例えば、ゲートバスライン、ソースバスラインやブラックマトリクスを撮影する。この際、イメージセンサ部２５は、基板５の搬送方向ａに平行に形成された図中縦に延びる既存パターン４の開始端から他方の終了端までを画像検出するための撮影を行う。イメージセンサ部２５は、透光窓２３下を帯状に流れるように移動する既存パターン４が、イメージセンサ部２５の撮影により画像検出する。例えば、イメージセンサ部２５は、多重焦点可能なラインＣＣＤ等が挙げられる。
【００２７】
イメージセンサ部２５は、撮影している間、透光窓２３下を移動している既存パターン４が、基板５の移動方向ａに対して直角となる方向へずれていってしまう場合は、そのズレ量を算出し、そのズレ量に応じたマスク３５の位置合わせのための移動が行われる。このように、既存パターン４に追従したマスク部３５の移動制御によってアライメント調整が行われる。これにより、露光部５０は、既存パターン４に沿った位置に対して、正確な露光がなされる。
【００２８】
イメージセンサ部２５は、透光窓２３下を移動する既存パターン４を撮影すると同時に、同じく透光窓２３に形成された遮蔽線４５も撮影する。イメージセンサ部２５が撮影している間、上述したようなズレを補正するためのマスク部３５の移動がなされ、撮影している遮蔽線４５も移動する。このときの遮蔽線４５の移動量を算出し、マスク部３５の位置合わせのための移動が的確になされた否かの判定を行う。判定結果によっては、例えば、マスク部３５の移動がなされていなかったり、移動量が算出したズレ量と比べて大きすぎたりした場合において、この上記補正は基板移動中、常に実行され基板移動終了まで行われる。
【００２９】
イメージセンサ部２５は、マスク部３５と対になって設けられている。また、イメージセンサ部２５は、マスク部３５の移動に用いられる移動手段とは異なる図示しない移動手段によってそれぞれ独立して移動可能である。このイメージセンサ部２５に設けられた移動手段は、露光開始前のマスク部３５との位置合わせのためなどに用いられる。
【００３０】
イメージセンサ部２５は、多重焦点カメラである。例えば、図６に示すような焦点が二つある二重焦点カメラであってもよい。具体的には、基板５上の既存パターン４と遮蔽線４５のそれぞれに焦点を合わせることが可能になっており、双方を鮮明に撮影することができるようになっている。図示されるようにイメージセンサ部２５の視野半分に光路長調整板２５ａを介在させ、焦点距離が異なる基板上の既存パターン４及びマスク部３５の遮蔽線４５に対して同時に焦点が合うようになっている。
【００３１】
画像検出部５５は、マスク部３５の位置合わせに用いる基準画像が記憶されており、更にはイメージセンサ部２５が撮影した既存パターン４の画像やマスク部３５の遮蔽線４５の画像も記憶することができる。
【００３２】
画像検出部５５は、イメージセンサ部２５が撮影した基板５上の既存パターン４の画像から既存パターン４のエッジ情報等を検出し、基板５の被照射面に対して実際に光エネルギーを照射している範囲と本来光エネルギーを照射すべき範囲との位置、つまり既存パターン４に対するマスク部３５の位置のズレ量を算出することができる。
【００３３】
マスク部位置調整ユニット７０は、画像検出部５５が算出したズレ量に基づいて、マスク部３５の位置を移動させて補正する。
【００３４】
露光制御部６０は、マスク部位置調整ユニット７０の補正結果に応じて、基板５の被照射面の光エネルギーを照射すべき範囲に対して実際に光エネルギーを照射できるようにする。
【００３５】
更に、画像検出部５５は、マスク部位置調整ユニット７０によりマスク部３５の位置が補正される前にイメージセンサ部２５が撮影したマスク部３５の遮蔽線４５の画像と、補正された後にイメージセンサ部２５が撮影したマスク部３５の遮蔽線４５の画像とを比較して、移動補正の際のマスク部３５の実際の移動量を算出し、マスク部３５の位置補正が的確になされたか否かを判定する。
【００３６】
上述したように基板５を移動させて光エネルギーを照射しつつ、既存パターン４に追従したマスク部３５のアライメント調整を行い、既存パターン４の開始端から終了端までマスク部３５が移動すると露光処理が終了する。
【００３７】
このようにイメージセンサ部２５によって撮影された既存パターン４とマスク部３５の遮蔽線４５のそれぞれの画像を用いて、それぞれの位置関係が露光中監視することにより、既存パターン４に対するマスク部３５の位置合わせの精度を向上させることができる。
透光窓（基板のパターンを観察するための覗き窓、具体的にはラインＣＣＤ観察窓）２３は、画像検出光源部２０から照射される光を透過させるものである。
ここで、遮蔽線４５および既存パターン４との関係について説明する。図７は、イメージセンサ部２５により撮影された基板上の既存パターン４と遮蔽線４５の関係を示す画像情報である。なお、図７に示す既存パターン４および遮蔽線４５は、画像情報の既存パターンおよび遮蔽線であることから、既存パターン４'および遮蔽線４５'と記す。
【００３８】
図７に示す既存パターン４'は、ＲＧＢ色素（Ｒ：赤、Ｇ：緑、Ｂ：青）のパターンであり、例えば、既存パターン４'ａはＲ色素、既存パターン４'ｂはＧ色素、既存パターン４'ｃはＢ色素、既存パターン４'ｄはＲ色素、既存パターン４'ｅはＧ色素、既存パターン４'ｆはＢ色素である。
【００３９】
イメージセンサ部２５は、前述のように基板５とマスク部３５を同時に撮影し、遮蔽線４５と基板５の既存パターン４を観察する。具体的には、イメージセンサ部２５が、図７に示すように、遮蔽線４５と基板５を撮影し、画像検出部５５が、画像情報から既存パターン４'ｅ上の略中心に配置された遮蔽線４５'の中心線Ｃ１を検出し、更に、同じ色素となる既存パターン４'ｂの両辺の中心線Ｃ２を求める。そして、イメージセンサ２５は、Ｃ１とＣ２の距離を認識し、基板５とマスク部３５の位置ズレ量を計算し、補正できるように監視する。
【００４０】
しかしながら、携帯機器（例えば、携帯電話、携帯型パーソナルコンピュータ）用の高精細な液晶画面の基板では、画素サイズが非常に小さくなってしまい、既存パターン４'ｅも同様に極小（例えば、１５μｍ程度まで狭くなることが想定される）になる。そうすると、イメージセンサ部２５は、高分解能機能からなる撮影手段を備えることを要し、既存パターン４を観察するための十分な画像が取得できない場合が想定される。
【００４１】
なお、画像検出部５５は、同一色素となる既存パターン４'ｂと４'ｅの画像情報から、マスク部３５と基板５の相対的な位置を検出している。イメージセンサ部２５は、画像検出光源部２０により照射される透過光の種類により既存パターン４のＲＧＢ色素のうち、１種の色素となる既存パターンのみに対して透過光が抜け、その透過光から画像情報を取得している。
【００４２】
図８は、本発明特有の遮蔽線４５と既存パターン４の画像情報を示す図である。なお、図８に示す既存パターンおよび遮蔽線４５は、画像情報の既存パターンおよび遮蔽線であることから、既存パターン４'および遮蔽線４５'と記す。
【００４３】
露光装置１００は、画像表示画面に表示される其々の色の画素に対応する、規則的に配置されたパターンをマトリクス状に備えた基板５を搬送可能な基板搬送部１０と、透光窓２３に遮蔽線４５を有するフォトマスクから構成されるマスク部３５と、基板５の画像情報を取得するために、該基板５の下方から複数種の透過光を照射する画像検出光源部２０と、マスク部３５の透光窓２３を介して取得された透過光を画像情報に変換するイメージセンサ部２５とを備えるものであって、図８に示すように変換された画像情報において、マスク部３５の遮蔽線４５の幅は、所定の透過光を透過した、画像表示画面に表示される隣り合う同一色の画素に対応するパターンの間に位置する別の色のパターンを覆い、上記隣り合う同一色の画素に対応するパターンそれぞれを部分的に覆うように設定する。図８に示すように、遮蔽線４５'の幅は、例えば、透過光がＧ色素の既存パターン４'ｂと４'ｅを透過し、隣り合うＧ色のパターンの間に位置する別の色のＲ、Ｂ色素のパターン（既存パターン４'ｃ〜４'ｄ）を覆い、隣り合うＧ色のパターン４'ｂ、４'ｅそれぞれを部分的に覆うように設定する。具体的には、マスク部３５の遮蔽線４５の幅は、画像情報に変換された際に、隣り合う同一色素となるパターンそれぞれの中心と中心との間隔幅を画素ピッチ幅とするものである。遮蔽線４５を画素ピッチ幅(例えば４５〜１００μｍ)にすることで、遮蔽線４５'が基板５の既存パターン２つを跨るように配置する。これにより、画像検出部５５は、携帯機器（例えば、携帯電話、携帯型パーソナルコンピュータ）用の高精細な液晶画面用の基板であり、画素サイズが非常に小さくなった場合であっても、隣り合う同一色のパターンである片側エッジ（辺）をそれぞれ検出することでマスク部３５と基板５の位置調整を容易に行うことができる。このように遮蔽線４５が、画素ピッチ幅となることで、マスク部３５の誤取付（誤配置）防止になる。
【００４４】
なお、上述した実施例においては、透過光が透過したのはＧ色のパターンを例に説明したが、Ｂ色のパターンを透過光が透過された場合は、遮蔽線４５'は、Ｇ色およびＲ色のパターンを覆い、Ｒ色のパターンが透過された場合は、遮蔽線４５'は、Ｇ色およびＢ色のパターンを覆うように配置される。
【００４５】
これにより、露光装置１００は、画像情報から画像検出処理を行う画像検出部５５と、マスク部３５の上方から露光光を照射可能とする露光部５０を備えるものであって、画像検出部５５は、隣り合う同一色の画素に対応するパターンそれぞれの辺に該当するエッジを検出し、マスク部３５は、検出されたエッジの情報に基づいて、基板５上を相対的に移動し、露光部５０は、マスク部３５が移動した後に露光光を照射する。
【００４６】
基板５は、基板上における基板部品を配置されていない非基板部品領域と、非基板部品領域上において、基板の搬送方向であって、基板部品間を通るように設定されたアライメントラインＬを備えることによって、アライメントラインＬを基準として基板の位置を追従することができるため、携帯機器向けのような小さな液晶製品画面を有する携帯機器用の基板部品であっても、アライメントラインＬを基準として、基板とマスク部の正確な位置合わせを設定し、正確な露光を行わせることができる。
【００４７】
基板５は、非基板部品領域上において、更に、基板の搬送方向であって、所定の間隔で、基板部品毎に対応するアライメントマークＭを備える際には、アライメントマークＭを基準として基板の位置を追従することができるため、携帯機器向けのような小さな液晶製品画面を有する携帯機器用の基板部品であっても、アライメントマークＭを基準として、基板５とマスク部３５の正確な位置合わせを設定し、正確な露光を行うことができる。
【００４８】
露光装置１００によれば、画像表示画面に表示される其々の色の画素に対応する、規則的に配置されたパターンをマトリクス状に備えた基板５を搬送可能な基板搬送部１０と、基板５に露光光を照射するための露光窓２２と、基板５のパターンを観察するための透光窓２３とを有し、該透光窓２３に遮蔽線４５（透光窓２３の略中心位置）を備えるフォトマスクから構成されるマスク部３５と、基板５の画像情報を取得するために、該基板５の下方から複数種の透過光を照射する画像検出光源部２０とマスク部３５の透光窓２３を介して取得された透過光を画像情報に変換するイメージセンサ部２５とを備えるものであって、変換された画像情報において、マスク部３５の遮蔽線４５の幅は、所定の透過光を透過した、画像表示画面に表示される隣り合う同一色の画素に対応するパターンの間に位置するパターンを覆い、隣り合う同一色の画素に対応するパターンそれぞれを部分的に覆うように設定されているものであることにより、上記隣り合う同一色の画素に対応するパターンの辺のみ検出することにより、携帯機器向けのような小さい液晶製品の基板部品であっても、正確な露光のためのマスク部の正確な位置合わせを設定することができる。本発明の第一の実施形態において、遮蔽線４５を画素ピッチ幅のマスクスリットにする実施形態を説明し、第二の実施形態においては、基板上にアライメントマークＭを付与した実施形態を説明し、第三の実施形態においては、基板上にアライメントラインＬを付与した実施形態を説明した。これらの実施形態は全て組み合わせて実施してもよいし、それぞれ２つ以上の実施形態を組み合わせて実施するものであってもよいし、それぞれの実施形態を独立して実施するものであってもよい。
【００４９】
露光装置１００は、更に、画像情報から画像検出処理を行う画像検出部５５と、マスク部３５の上方から露光光を照射可能とする露光部５０を備えるものであって、画像検出部５５は、隣り合う同一色の画素に対応するパターンそれぞれの辺に該当するエッジを検出し、マスク部３５は、検出されたエッジの情報に基づいて、基板上を相対的に移動し、露光部５０は、マスク部が移動した後に露光光を照射する際には、携帯機器向けのような小さな液晶製品画面を有する携帯機器用の基板部品であっても、正確な露光のためのマスク部の正確な位置合わせを設定し、正確な露光を行うことができる。
【００５０】
また、露光装置１００は、更に、画像情報から画像検出処理を行う画像検出部５５と、マスク部３５の上方から露光光を照射可能とする露光部５０を備えるものであって、基板５は、基板５の搬送方向に、所定間隔で、切断される基板部品毎にアライメントマークを付与されたものであって、画像検出部５０は、当該アライメントマークを検出し、マスク部３５は、検出されたアライメントマークの情報に基づいて、基板上を相対的に移動し、露光部は、マスク部３５が移動した後に露光光を照射する際には、アライメントマークを基準として基板の位置を追従することができるため、携帯機器向けのような小さな液晶製品画面を有する携帯機器用の基板部品であっても、アライメントマークを基準として、基板とマスク部の正確な位置合わせを設定し、正確な露光を行うことができる。
【００５１】
露光装置１００は、更に、画像情報から画像検出処理を行う画像検出部５５と、マスク部３５の上方から露光光を照射可能とする露光部５０を備えるものであって、基板５は、基板５の搬送方向に、所定間隔で、切断される基板部品毎を区切るようにアライメントラインを付与されたものであって、画像検出部５５は、当該アライメントラインを検出し、マスク部は、検出されたアライメントラインの情報に基づいて、基板５上を相対的に移動し、露光部５０は、マスク部３５が移動した後に露光光を照射する際には、アライメントラインを基準として基板の位置を追従することができるため、携帯機器向けのような小さな液晶製品画面を有する携帯機器用の基板部品であっても、アライメントラインを基準として、基板とマスク部の正確な位置合わせを設定し、正確な露光を行うことができる。
【００５２】
以上、本発明の実施形態について、詳細に説明したが、本発明はこれらの実施形態に限定されるものではない。
【符号の説明】
【００５３】
ｃ      セル
Ｃ      中心線
Ｌ      アライメントライン
Ｍ      アライメントマーク
Ｒ      領域
４      パターン
５      基板
１０    基板搬送部
２０    画像検出光源部
２１    遮光部
２２    露光窓
２３    透光窓
２５    イメージセンサ部
３５    マスク部
４５    遮蔽線
５０    露光部
５５    画像検出部
６０    露光制御部
７０    マスク部位置調整ユニット
１００  露光装置
【図１】
2013195468.tif 000003
【図２】
2013195468.tif 000004
【図３】
2013195468.tif 000005
【図４】
2013195468.tif 000006
【図５】
2013195468.tif 000007
【図６】
2013195468.tif 000008
【図７】
2013195468.tif 000009
【図８】
2013195468.tif 000010